(57)【要約】【課題】入賞装置の開閉扉の軸の位置がズレることによる、開閉扉の開閉に不具合を防止する。【解決手段】大入賞装置１は、球入口２に前後方向へ自在に回動する開閉扉３と、開閉扉３を前後方向へ回動させる駆動部４と、を備え、開閉扉３と駆動部４とを取り付けるケース部５と、ケース部５の前面部５０に一体形成され、左右方向に水平に形成される軸孔６が形成された軸孔部７と、一端部８０が軸孔６に嵌着され他端部８１が開閉扉３の軸孔部３０の軸孔３１に遊嵌される扉ピン８と、を備える。ケース部５が上ケース５１と、下ケース５２とに分割され、これらの上下ケース５１，５２がビスで嵌脱自在に構成され、軸孔部７が下ケース５２の嵌合面５４に形成され、駆動部４、球検出部９、球検出部９と接続される中継基板１０等が、ケース部５の内部に組み付けられ、取付基板１１への取付部１２をケース部５に備える。【選択図】        図４
2008212335.tif 000002
【特許請求の範囲】
【請求項１】
球入口に前後方向へ自在に回動して遊技者に不利な閉状態と遊技者に有利な開状態とに変換する開閉扉と、
前記開閉扉を前後方向へ回動させる駆動部と、
を備える入賞装置において、
前記開閉扉と駆動部とを取り付けるケース部と、
該ケース部の前面部に一体形成され、左右方向に水平に形成される軸孔が形成された軸孔部と、
一端部が前記開閉扉の軸孔部の軸孔に嵌装され、他端部が前記開閉扉の軸孔部の軸孔に嵌装される扉ピンと、
を備える遊技機の入賞装置。
【請求項２】
前記ケース部が上ケースと、下ケースとに分割され、当該上下ケースがビスで嵌脱自在に構成されるとともに、
前記軸孔部が前記上ケース又は下ケースのいずれか一方の嵌合面に形成され、
前記駆動部、球検出部、及び、該球検出部と接続される基板が、前記ケース部の内部に組み付けられ、且つ、
遊技盤に装着される取付基板を更に備え、前記ケース部が、該取付基板への取付部を有するカセット型構造を備える請求項１の遊技機の入賞装置。
【発明の詳細な説明】
【技術分野】
【０００１】
本発明は、入賞装置、特に、いわゆるアタッカーと呼ばれる大入賞装置に関する。
【背景技術】
【０００２】
特許文献１の入賞装置は、いわゆるアタッカーとも呼ばれる大入賞装置であり、図６に示す通り、開閉扉１１４の両側縁にはそれぞれ後側へ直交状に屈曲する角度規制片１１５，１１５が設けられ、各角度規制片１１５の外側前部に軸操作杆１１６が突設され、さらに一方（図６において右側）の角度規制片１１５には外側下部に係合突起１１７が突設される。１１８，１１８は中箱枠（特許文献１では「１３」で図示）の前面両側にビスによって取り付けられる軸支板であり、それぞれ内側縁に設けた軸孔１１９，１１９に前記軸操作杆１１６，１１６を挿通させることにより開閉扉１１４が前後方向へ自在に回動できるようになっている。特別遊技状態では、一定条件のもと同じ動作が所定回数繰り返され一度に多くの入賞球が発生するようになっている。
【０００３】
【特許文献１】特開２００２−３５３３９号公報
【発明の開示】
【発明が解決しようとする課題】
【０００４】
しかしながら、軸支板１１８，１１８と、中箱枠（図示略）とは別部品であり、ビスで上下２箇所に取り付けられているので、開閉動作が繰返し行われることにより、また、遊技球が開放中の開閉扉１１４に衝突する衝撃により、軸支板１１８，１１８が矢印Ｘ，Ｙに示す通り、内側に倒れこんだりして、ビスが緩んできたり、軸孔１１９，１１９が変形したり、軸操作杆１１６の位置がズレて、開閉扉１１４の開閉に不具合が生じる。このように回動軸があちこちにズレることによって開閉扉が動かなくなる不具合が生じており、この不具合は未解決のままである。ビスを締める方向を工夫したり、軸孔１１９，１１９と軸操作杆１１６を大きくする等、種々の対策を考えてはいるが、未だに前記不都合を回避するには十分ではない。
【課題を解決するための手段】
【０００５】
かかる課題に鑑み本発明はなされたものであり、請求項１〜２に記載の通りの発明である。従来の開閉扉の不具合を、ケース部の前面部に一体形成され、左右方向に水平に形成される軸孔が形成された軸孔部と、一端部が前記軸孔部の軸孔に嵌装され、他端部が前記開閉扉の軸孔に嵌装される扉ピンと、を備えることで解消するものである。この軸孔部をケース部の一部に一体形成することで、別部品となることを回避し、軸孔部に負荷される応力をケース部の全体で支持するようにできる。
【発明の効果】
【０００６】
本発明によれば、軸孔部とケース部とを一体化し、開閉扉の開閉に伴い軸孔部に負荷される応力をケース部全体で支持でき、開閉扉の軸のガタツキによる開閉扉の故障率を低減することができる。また、開閉扉が扉ピンに対して左右に相対移動できるので、開閉扉の回動が安定し円滑な動作が可能となる。さらに、カセット型構造を備えることで、構造が簡素化され部品点数も少なく、コンパクトな構造となる。さらに、開閉扉の入賞装置の組付作業効率が高くなる。
【発明を実施するための最良の形態】
【０００７】
以下に、本発明の好適な実施形態の遊技機の大入賞装置１（以下、単に大入賞装置１という。）について図面を参照して説明する。大入賞装置１は、図１〜図５に示す通り、球入口２（図５参照）に前後方向へ自在に回動して遊技者に不利な閉状態と遊技者に有利な開状態とに変換する開閉扉３と、開閉扉３を前後方向へ回動させる駆動部４と、を備える。また、大入賞装置１は、開閉扉３と駆動部４とを取り付けるケース部５と、ケース部５の前面部５０に一体形成され、左右方向に水平に形成される軸孔６が形成された軸孔部７と、一端部８０が軸孔６に嵌着され他端部８１が開閉扉３の軸孔部３０の軸孔３１に遊嵌される扉ピン８と、を備える。ケース部５が上ケース５１と、下ケース５２とに上下に分割され、これらの上下ケース５１，５２がビス（図示略）で嵌脱自在に構成されるとともに、軸孔部７が下ケース５２の嵌合面５４に形成され、駆動部４、球検出部９、及び、球検出部９と接続される中継基板１０等が、ケース部５の内部に組み付けられ、且つ、遊技盤（図示略）に装着される取付基板１１への取付部１２をケース部５に備えるカセット型構造を備えるものである。
【０００８】
この大入賞装置１は、取付基板１１の中央部分に横長の球入口１３を備える。取付基板１１の前面に球入口１３の両側に位置して一般入賞口１４，１４が設けられ、取付基板１１の裏面には球入口１３の両側を囲うようにして後面が開口した枠体１５が一体に形成される。複数のビス（図示略）によって取付部１２が取付基板１１の裏側に取り付けられる。
【０００９】
軸孔部３０は、開閉扉３の下部の端部の位置に、水平方向に左右一対形成された筒体であり、中心に軸孔３１が軸方向に形成され、軸孔３１の先端部が外部と連通し基端は閉じている。開閉扉３の両側縁にはそれぞれ後側へ直交状に屈曲する左右一対の角度規制片１６，１６が延び出している。図５において左側の角度規制片１６には外側下部に係合突起１７が突設される。
【００１０】
駆動部４は、駆動部収容室１8の奥側に軸方向が前後方向となるように配置され開閉扉３を作動させるソレノイド４０と、このソレノイド４０によって前後方向へ進退動するコイルバネを備えるプランジャ４１の先端に取着された連結部材４２と、を備えている。この連結部材４２は円形に形成されたものである。この連結部材４２には、ソレノイドスライダ４３の鉤型溝４３ａが嵌合してある。ソレノイドスライダ４３の上部にはＵ字形状溝４４ａを備える係合片４４が一体形成されている。
【００１１】
駆動部４は、開閉扉３とソレノイドスライダ４３との間でこれらを連係し且つプランジャ４１の進退動作のみによって開閉扉３を回動させるクランク４５を備えている。このクランク４５は、係合突起１７を掴むように係合して開閉扉３を前後方向に回動させる把持部４６と、係合片４４に回動自在に係合する係合ピン４７と、クランク軸４９と、から構成される。把持部４６は、開閉扉３の係合突起１７に係合する二股係合部である。クランク軸４９は、その両端部が、下ケース５２に固着形成した複数（図では一対）の嵌合部４８に回動自在に支持されている。駆動部４は、ケース部５内の左側に形成された駆動部収容室１８に収容される。
【００１２】
ケース部５の前面部５０に開閉扉３が配設され球入口２、１３を開閉する。ケース部５は、カセットテープケースと同様の矩形のケースである。半割された、上ケース５１と下ケース５２とは、相互にビス締めにより接合される。
【００１３】
球案内板５５は開閉扉３が前方へ回動したとき、ほぼ同一面となるように設定してあり、隔壁５６の前面側に横方向に延び出し入賞した遊技球を後方に案内する。奥部の中央に転動する遊技球が入り込む一般入賞口１９ａとＶ入賞口１９ｂとが右・左に配設される。隔壁５６が軸孔部７付近からケース部５の内部において奥側に延び出し、平面視で釣鐘形状に配置され、遊技球を一般入賞口１９ａとＶ入賞口１９ｂに誘導する。
【００１４】
球案内板５５の下側（裏側）にＬＥＤ基板２０が配置され、その下側にＬ字形状の裏カバー５７が脱着自在に取り付けられている。この裏カバー５７には、２個の取入口２１，２１、コネクタ受入開口２２、ビス孔２３とが開設されている。
【００１５】
基板支持部５８が隔壁５６の裏側に形成され、中継基板１０が装着される。遊技球を通過させる球通過部２４が形成されている。
【００１６】
取付部５８ａ〜５８ｄが上ケース５１に、対応する取付部５８ｅ〜５８ｈが下ケース５２に備えられている。さらに上ケース５１の球入口２に臨む両端部の上部に、開閉扉３が開いたときに角度規制片１６の回動を規制するストッパ５９，５９を備えている。
【００１７】
軸孔部７，７は、水平方向に左右一対に形成された筒体であり、下ケース５２の前面部５２ａ，５２ｂに一体形成されている。軸孔部７，７の下端部が前面部５２ａ，５２ｂの上面と接続されている。軸孔部７，７の中心に軸孔６，６が同軸状に貫設されている。軸孔６，６のそれぞれに扉ピン８，８を同軸状に挿通させてある。上ケース５１の左右一対の前面部５１ａ，５１ｂに、それぞれ、凹部７０，７０と、凹部７０，７０に隣接し前方に突出する突出片７１，７１とを備えている。凹部７０，７０はその下側に軸孔部７，７を配置するために邪魔にならぬように切り欠きしたものである。突出片７１，７１は軸孔部７，７の外側に間隙を明けて左右に配置されている。このような構造により、扉ピン８，８の抜け落ちを防止するとともに、扉ピン８，８の左右への揺動を許容し、このような遊びを持たせることで、開閉の際の衝撃を緩和するとともに、円滑な開閉動作を行うことができる。上ケース５１には点検等のための開孔５１ｃが設けてある。  
【００１８】
一対の球検出器９，９が一般入賞口１９ａとＶ入賞口１９ｂと取入口２１との間に介装され入賞球をカウントするように配設されている。
【００１９】
中継基板１０には取付部１０ａ、１０ｂ、１０ｃ、１０ｄ、コネクタ１０ｃ、１０ｄ（図４（ｂ）参照）等が設けてある。
【００２０】
大入賞装置１の組立方法を説明する。開閉扉３を、その軸孔３１が軸孔６と同軸状に合致するように、２つの軸孔部７の間に配置してから、軸孔６に扉ピン８，８を貫通させ、一端部８０が軸孔６に挿入された状態で、他端部８１が軸孔３１に挿入されるように、他端部８１を奥まで押し込む。下ケース５２に駆動部４を装着し、クランク４５と係合突起１７とを係合させる。下ケース５２に球検出器９、９と、中継基板１０とＬＥＤ基板２０と裏カバー５７とを装着する。最後に上ケース５１を下ケース５２に嵌合させて、ビスで止着する。開閉扉３は、扉ピン８，８で軸状に支持され前後方向に回動する。開閉扉３が左右に揺動できるように軸方向に遊びが設けてある。開閉扉３が横に揺動しても扉ピン８，８の両側端が突出片７１，７１で規制されるので、扉ピン８，８は外れない。なお、突出片７１，７１に代えて、軸孔部７の端部を閉塞してもよい。
【００２１】
次に大入賞装置１の動作について図面を参照して説明する。大入賞装置１を備える遊技機は、特別遊技状態になったとき一度に多くの入賞球を発生させる所謂フィーバータイプのものである。図柄表示装置（図示略）に図柄・数字などが停止して、その組合せが特定の組合せ（例えば「７，７，７」）に揃ったとき、特別遊技状態となり、一定の条件のもとに一度に多くの入賞球を発生させるものである。遊技中にあっては、特別遊技状態でないとき、ソレノイド４０が消磁し、プランジャ４１がそのコイルスプリングの付勢により前方へ前進しており、クランク軸４９を中心として、把持部４６と係合ピン４７とはいずれも反時計方向へ回動しており、二股の把持部４６により係合突起１７を押し下げ開閉扉３を後方へ回動して球入口２、１３を閉じている。
【００２２】
この状態で、特別遊技状態になると、ソレノイド４０が励磁し、プランジャ４１がそのコイルスプリングの付勢に抗して後退し始め、クランク軸４９を中心として、把持部４６と係合ピン４７とが時計方向に回動する。把持部４６により係合突起１７が押し上げられ、開閉扉３が反時計方向すなわち前方向へ回動して球入口２、１３を開き、一度に多くの打球を受け入れられるようになる。また、ソレノイド４０が消磁するとコイルスプリングの付勢により、プランジャ４１が前進し把持部４６と係合ピン４７とが反時計方向に回動して開閉扉３を元の閉状態に戻す。
【００２３】
以上説明した本実施形態によれば、下ケース５２と軸孔部７とを一体化してあるので、開閉扉の開閉に伴い軸孔部７に負荷される応力をケース部５全体で支持でき、軸孔部７のガタツキによる開閉扉３の回動軸となる扉ピン８，８のガタツキを防止できる。これにより、開閉扉の故障率を低減することができる。また、開閉扉３が扉ピン８，８に対して左右に相対移動でき、また扉ピン８，８自体にも左右方向に遊びがあるので、開閉扉の回動が安定し円滑である。さらに、上ケース５１と下ケース５２とを合体させてカセット型構造とすることで、構造が簡素化され部品点数も少なく、コンパクトな構造となる。取付部１２を用いてケース部５を取付基板１１に取り付けるだけであるので、大入賞装置１の組付作業効率が高くなる。
【００２４】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。
【００２５】
例えば、ケース部５は、矩形としたが、丸形、楕円形、多角形等、機種に応じて適宜変更してもよい。また、本実施の形態にあっては、ソレノイド４０を取付基板１１に対して前後方向で直角となるように配設しているが、上下方向で平行に配設するなど、変更しても良く、またクランク４５は把持部４６やクランク軸４９の組合せ以外にも、連係ロック機構を備えたものであれば、他の構成であっても良いことは勿論である。軸孔部７の位置は嵌合面５４に形成してあるが、それ以外の位置、例えば、嵌合面５４から、上下にずらした位置に形成してもよい。
【図面の簡単な説明】
【００２６】
【図１】本発明実施形態の遊技機の大入賞装置のケース部と取付基板の斜視図である。
【図２】（ａ）は同装置の取付基板を除く斜視図、（ｂ）は（ａ）の側面図である。
【図３】（ａ）は同装置の取付基板を除く平面図、（ｂ）は（ａ）の内部を示す平面図である。
【図４】（ａ）は同装置の取付基板を除く正面図、（ｂ）は（ａ）のＡ−Ａ線縦断面図である。
【図５】同装置の取付基板を除く分解斜視図である。
【図６】従来技術の大入賞装置の一部を示す斜視図である。
【符号の説明】
【００２７】
１・・・大入賞装置  ２・・・球入口  ３・・・開閉扉  ４・・・駆動部
４０・・・ソレノイド  ４１・・・プランジャ  ４２・・・連結部材
４３・・・ソレノイドスライダ  ４３ａ・・・鉤型溝  ４４ａ・・・Ｕ字形状溝
４４・・・係合片  ４５・・・クランク  ４６・・・把持部  ４７・・・係合ピン
４８・・・嵌合部  ４９・・・クランク軸  ５・・・ケース部  ５０・・・前面部
５１・・・上ケース  ５２・・・下ケース  ５３・・・ビス  ５４・・・嵌合面
５５・・・球案内板  ５６・・・隔壁  ５７・・・裏カバー
５８ａ〜５８ｄ、５８ｅ〜５８ｈ・・・取付部  ５９・・・ストッパ  ６・・・軸孔
７・・・軸孔部  ７０，７０・・・凹部  ７１，７１・・・突出片
８，８・・・扉ピン  ８０，８０・・・一端部  ８１，８１・・・他端部
９，９・・・球検出部  １０・・・中継基板  １１・・・取付基板
１２，１２・・・取付部  １３・・・球入口  １４，１４・・・一般入賞口
１５・・・枠体  １６，１６・・・角度規制片  １７・・・係合突起
１８・・・駆動部収容室  １９ａ・・・一般入賞口  １９ｂ・・・Ｖ入賞口
２０・・・ＬＥＤ基板  ２１・・・取入口  ２２・・・コネクタ受入開口
２３・・・ビス孔  ２４・・・球通過部
【図１】
2008212335.tif 000003
【図２】
2008212335.tif 000004
【図３】
2008212335.tif 000005
【図４】
2008212335.tif 000006
【図５】
2008212335.tif 000007
【図６】
2008212335.tif 000008